(57)【要約】  【課題】  一般的な事務所には、非常時の防災情報を得る装置がほとんど無い。災害時の被害を最小限に押さえるためにも、迅速に防災情報を受信し警報を発する装置が必要になる。  【解決手段】  気象庁から配信される気象配信サーバ１に記憶される。また、気象庁等および、リアルタイム地震情報利用協議会からの緊急地震速報は、緊急地震速報配信サーバ２に記憶される。これら配信サーバ１および２の防災情報は、インターネット接続業者（プロバイダ）の配信サーバ３とインターネット４および、ＬＡＮ５を経由して、防災情報受信機能付き印刷装置６と通信する。【選択図】        図１
2006145266.tif 000002
【特許請求の範囲】
【請求項１】
地震および気象等の防災情報の利用方法であって、防災情報受信機能を有することを特徴とするＬＡＮ・インターネット接続を用いた防災情報受信機能付き印刷装置。
【請求項２】
地震および気象等の防災情報の利用方法であって、前記防災情報受信機能が、配信サーバ、ファクシミリおよび複写機であることを特徴とする請求項１記載のＬＡＮ・インターネット接続を用いた防災情報受信機能付き印刷装置。
【請求項３】
地震および気象等の防災情報の利用方法であって、前記ファクシミリおよび複写機が、プリンタ部、ブザー、ランプ、表示部および、ロギングデータメモリを具備することを特徴とする請求項１乃至２記載のＬＡＮ・インターネット接続を用いた防災情報受信機能付き印刷装置。
【発明の詳細な説明】
【技術分野】
【０００１】
緊急地震速報を、予め定められた多数の者に、ＬＡＮ・インターネット接続によって秒単位の迅速さで、地震の発生後かつ地震波が到達するまでに伝え、地震の早期警報あるいは自動防災措置を行う装置に関する。
【背景技術】
【０００２】
緊急地震速報が、気象庁から試験的に配信され、専用回線・衛星回線・防災無線など種々の伝達方法でユーザーに伝える実証試験も行われている。ファクシミリ（ＦＡＸ）および複写機が日常生活の殆ど必須のものとなっている状態では、ファクシミリおよび複写機を使った防災の必要性が、早くから認識されている。
また、緊急地震速報の有用性が提案されている。
【０００３】
【特許文献１】特願Ｈ０７−３２３９７３号公報
【特許文献２】特願２００４−２９４９６０号公報
【発明の開示】
【発明が解決しようとする課題】
【０００４】
一般的な事務所には、テレビやラジオ等の一般的な情報源が無い、または、有っても、通常使われていない等、常時注視が困難であり、防災情報を得ることができない等、非常時の防災情報を得る装置がほとんど無い。
災害時の被害を最小限に押さえるためにも、迅速に防災情報を受信し警報を発する装置が必要になる。
しかし、このような緊急地震速報の一斉伝達方法およびシステムにおいて、地震動を利用したデータを使った場合には、地震の発生のあと数秒後ぐらいから、緊急地震速報が発信され始める。また、任意の制御・監視機器では、対象物の状態をモニターしており、一端事象の発生のあった場合には、矢張り緊急信号が発生される。この種の緊急地震速報を、担当者のみでなく、関係者にかぎって全員の携帯端末に遅滞なく伝達する仕組みが必要とされている。
本発明では、これらの問題を解決する方法を提示する。
【課題を解決するための手段】
【０００５】
事務所内で常時２４時間稼働している唯一の情報端末は、ＦＡＸまたは複写機、印刷装置またはそれらが組み合わされた装置である。これらの装置は、印刷機能、表示機能、警報機能、ネットワーク接続機能を有している。この装置に防災情報を受信する機能を付加し、防災情報受信装置とし、利用する。そして、地震・気象等の防災情報をインターネット経由やＬＡＮ経由で受信することが出来る、ＦＡＸ・コピー機能等を有した印刷装置によって、以上に説明した課題に応えるものである。
【０００６】
そして、課題を解決するための手段は、特許請求の範囲に記載するように構成している。すなわち、
本発明は、請求項１に記載のように、地震および気象等の防災情報の利用方法であって、防災情報受信機能を有することを特徴とするＬＡＮ・インターネット接続を用いた防災情報受信機能付き印刷装置を構成する。
また、本発明は、請求項２に記載のように、地震および気象等の防災情報の利用方法であって、前記防災情報受信機能が、配信サーバ、ファクシミリおよび複写機であることを特徴とする請求項１記載のＬＡＮ・インターネット接続を用いた防災情報受信機能付き印刷装置を構成する。
また、本発明は、請求項３に記載のように、地震および気象等の防災情報の利用方法であって、前記ファクシミリおよび複写機が、プリンタ部、ブザー、ランプ、表示部および、ロギングデータメモリを具備することを特徴とする請求項１乃至２記載のＬＡＮ・インターネット接続を用いた防災情報受信機能付き印刷装置を構成する。
【発明の効果】
【０００７】
本発明に係るリアルタイム地震危険度予測の方法によって得られる効果を請求項ごとに説明する。
【０００８】
まず、請求項１の発明においては、ファクシミリの設置場所の制約を受けることのない、防災情報受信機能付き印刷装置が実現する。
また、請求項２の発明においては、迅速に防災情報を受信し警報を発する防災情報受信機能付き印刷装置が実現する。
また、請求項３の発明においては、防災情報受信機能付き印刷装置は、防災、防犯および緊急地震速報を受信することにより、迅速に安全な避難行動が実行できる。
【発明を実施するための最良の形態】
【０００９】
以下、実施例1および２によって、本発明を説明する。
【実施例１】
【００１０】
図１は、本発明に係わるＬＡＮ・インターネット接続を用いた防災情報受信機能付き印刷装置の構成図である。図１に示すように、気象庁から配信される気象配信サーバ１に記憶される。また、気象庁等および、リアルタイム地震情報利用協議会からの緊急地震速報は、緊急地震速報配信サーバ２に記憶される。これら配信サーバ１および２の防災情報は、インターネット接続業者（プロバイダ）の配信サーバ３とインターネット４および、ＬＡＮ５を経由して、防災情報受信機能付き印刷装置６と通信する。
【００１１】
ここで、気象庁からの情報は、津波、大雨、洪水および暴風などの防災情報である。また、リアルタイム地震情報利用協議会からの緊急地震速報は、地震の初期動（Ｐ波）および、主要動（Ｐ波）のデータである。これらの情報を、プロバイダのサーバ３は、インターネット４および、ＬＡＮ７に送信する。また、公知の通信により、インターネット４へは電話回線、ＬＡＮ５へは専用回線によって接続する。
そして、緊急地震速報が発信されると，プロバイダのサーバ３は、受信される震源パラメータ、システム時間・位置情報を使い、既存方法（特願２００１−２５７７６５号公報参照）により、当該地点の現時点での、地震主要動（Ｓ波）の到達までの時間、予想される震度などの地震の強度を求める。
【００１２】
また、防災情報受信機能付き印刷装置６は、火災・防犯センサー８からの防災情報を受信する機能がある。さらに、防災情報受信機能付き印刷装置６は、警報装置９を内蔵して、ランプ、ブザー、音声およびプリントアウトによって、防災情報を出力する。
【００１３】
さらに、防災情報受信機能付き印刷装置６は、ＬＡＮのサーバー機能を使って、クライアントの防災情報受信機能付き印刷装置１０に防災情報を送信する。
以上説明したように、ファクシミリの設置場所の制約を受けることのない防災情報受信機能付き印刷装置が実現する。
図２は、プロバイダのサーバ３の構成図である。図２に示すように、気象庁１１等および、リアルタイム地震情報利用協議会１２からの緊急地震速報は、プロバイダのサーバ３の、受信・計算装置２１によって、受信される震源パラメータ、システム時間・位置情報を使い、既存方法（特願２００１−２５７７６５号公報参照）により、当該地点の現時点での、地震主要動（Ｓ波）の到達までの時間、予想される震度などの地震の情報を求める。また、プロバイダのサーバ３のネットワーク切換装置２２によって、情報  の送信先を、インターネット４およびＬＡＮ５に切り換える。
以上説明したように、防災情報を迅速に受信し警報を発する防災情報受信機能付き印刷装置が実現する。
【実施例２】
【００１４】
図３は、本発明に係わるＬＡＮ・インターネット接続を用いた防災情報受信機能付き印刷装置の構成図である。図３に示すように、防災情報受信機能付き印刷装置６は、防災情報受信装置３２によって、火災・防犯センサー８からの防災情報を受信する機能がある。
また、ネットワーク接続部３３によって、インターネット４および、ＬＡＮ５と接続する。さらに、防災情報受信機能付き印刷装置６は、ＣＰＵ３１およびＦＡＸ機能部（複写機能部）３４によって制御する。そして、スキャナ部３５によって、防災関連資料のデジタル化が可能である。
【００１５】
さらに、防災情報受信機能付き印刷装置６は、警報装置９を内蔵して、プリンタ部３６によるプリントアウト、ブザー３７、ランプ３８および、表示部３９によって、防災情報を出力する。以上、説明した構成によって、防災情報を受信する機能を有した多機能プリンタは、防災情報を受信するとブザー鳴動・ランプ点滅が開始し、表示部には詳細情報が表示される。また、メール・ＦＡＸ・複写機等で情報を転送することができる。
そして、ロギングデータメモリ４１によって、必要に応じ、警報内容、履歴データを印刷することが出来る。
また、防災情報受信機能付き印刷装置６は、ＬＡＮのサーバー機能を使って、クライアントの防災情報受信機能付き印刷装置１０に防災情報を送信する。
【００１６】
さらに、対応マニュアルデータベース４２は、受信した防災情報によって、あらかじめ行動マニュアルを設定してあり、適正なプリントを出力する。
図４は、防災情報受信機能付き印刷装置の機能説明図である。図４に示すように、地震発生の時間経過と在室者および、プリンタの時間フローは、相互に関連する。図４の例では、地震発生（Ｐ波）から主要動Ｓ波の到達まで２０秒の場合を示す。
まず、地震発生時に受信するＰ波によって、在室者は、防災情報受信機能付き印刷装置６の表示を確認する。そして、表示を参考に防災行動を行い、机の下に避難する。また、同時に、プリンタは起動し、数秒後にプリント出力が開始する。次に、主要動Ｓ波の到達まで２０秒（余裕時間）と仮定すると、退避時間は約２５秒であり、プリント出力は完了する。すなわち、在室者が退避行動する時には、地震に対する避難行動を指示しているプリント出力を取得することが可能となる。
【００１７】
図５は、対応マニュアルデータベースの機能説明図である。図５に示すように、気象庁等からリアルタイム地震情報利用協議会を経由して、防災情報受信機能付き印刷装置は、緊急地震速報を受信する。防災情報受信機能付き印刷装置が保有する対応マニュアルデータベースは、図５に示すようなメッセージを表示およびプリント出力する。
そのメッセージは、以下のとおりである。
【００１８】
音声および表示：あと２０秒で震度６の地震が到達します
：（１）ドアを開ける
：（２）ガスを止める
：（３）ブレーカをＯＦＦする
：（４）机の下に避難する
プリント：（５）震度ー震源地
：（６）非常持ち出しリスト
：（７）連絡先リスト
：（８）避難所案内
また、津波の場合は、以下のとおりである。
音声および表示：あと５分で津波が到達します
：上記（１）〜（８）
また、大雨、洪水、がけ崩れの場合は、以下のとおりである。
：今後の気象情報に注意する
：上記（１）〜（８）
さらに、市町村防災センタおよび火災・防犯センサからの場合は、
連絡先：市町村防災センタ、消防署、警察署
を表示およびプリント出力する。
【００１９】
また、防災情報受信機能付き印刷装置のランプおよびブザーは、図５に示すように、メッセージを表示およびプリント出力中は、作動させる。そして、表示部３９は、地震の主要動が到達するまでの余裕時間を、秒単位にカウントダウンで正確に表示する。
【００２０】
さらに、ランプ３８によって、地震発生を表示して、画面表示を注目させたり、また、ブザー３７によって、警報音を出力して、夜間でも地震発生を連絡することを可能とする。この図５に示す方法により、防災情報受信機能付き印刷装置の設置場所では、発生した地震波の余裕時間と地震強度を迅速に、また正確に、そして視覚および、聴覚によって、捉えることが可能となる。
以上説明したように、防災情報受信機能付き印刷装置は、気象情報および緊急地震速報の画面を表示し、音声およびプリント出力することにより、適確に防災情報を、関係者に配信することが可能である。
【００２１】
図６は、防災情報受信機能付き印刷装置の応用の一例の説明図である。図６に示すように、気象庁１１等および、リアルタイム地震情報利用協議会１２からの緊急地震速報は、緊急地震速報配信サーバ２および配信サーバ３と、インターネット４を経由して、防災情報受信機能付き印刷装置６に到達する。防災情報受信機能付き印刷装置６は、会社内のＬＡＮ１５によって、幹部１６、職場消防隊１７、総務部１８、設計部１９および製造部２０に設置してあるＦＡＸおよび複写機に、防災情報を配信する。配信された各部署の防災情報受信機能付き印刷装置６は、図５に示したフローに従って動作し、会社全体の安全を確保する。
【００２２】
以上説明したように、防災情報受信機能付き印刷装置は、防災、防犯および緊急地震速報を受信することにより、迅速に安全な避難行動が実行できる。
また、本実施例は、防災、防犯および緊急地震速報について説明したが、本発明は、任意の防災情報に適用可能である。
【００２３】
そして、防災情報受信機能付き印刷装置は、主に、ＦＡＸについて説明したが、複写機についても適用可能である。
【図面の簡単な説明】
【００２４】
【図１】本発明に係わるＬＡＮ・インターネット接続を用いた防災情報受信機能付き印刷装置の構成図である。
【図２】プロバイダのサーバ３の構成図である。
【図３】本発明に係わるＬＡＮ・インターネット接続を用いた防災情報受信機能付き印刷装置の構成図である。
【図４】防災情報受信機能付き印刷装置の機能説明図である。
【図５】対応マニュアルデータベースの機能説明図である。
【図６】防災情報受信機能付き印刷装置の応用の一例の説明図である。
【符号の説明】
【００２５】
１  気象配信サーバ
２  緊急地震速報配信サーバ
３  プロバイダのサーバ
４  インターネット
５  ＬＡＮ
６  防災情報受信機能付き印刷装置
１１  気象庁
１２  リアルタイム地震情報利用協議会
１５  会社内のＬＡＮ
１６  幹部
１７  職場消防隊
１８  総務部
１９  設計部
２０  製造部
２１  受信・計算装置２１
２２  ネットワーク切換装置２２
３１  ＣＰＵ
３２  防災情報受信装置
３３  ネットワーク接続部
３４  ＦＡＸ機能部（複写機能部）
３６  プリンタ部
３７  ブザー
３８  ランプ
３９  表示部
４１  ロギングデータメモリ
４２  対応マニュアルデータベース
【図１】
2006145266.tif 000003
【図２】
2006145266.tif 000004
【図３】
2006145266.tif 000005
【図４】
2006145266.tif 000006
【図５】
2006145266.tif 000007
【図６】
2006145266.tif 000008